(57)【要約】【課題】ビット操作によって情報の長さの不一致を吸収し、演出ドライバを適切に制御する。【解決手段】演出制御手段３３４は、演出パターンに基づくバイト単位の演出情報の下位側に、演出ドライバで必要となるビット単位の追加情報を付加するとともに、上位側に、所定の予備情報を付加することで、拡張されたバイト単位の演出情報を生成し、通信コントローラ３６４は、拡張されたバイト単位の演出情報のうち、下位側から、演出ドライバ３７２で用いられるビット単位の演出情報を出力する。【選択図】図１５
2019080740.tif 000002
【特許請求の範囲】
【請求項１】
所定の契機に基づいて遊技者に有利な遊技利益を付与するための抽選を行い、この抽選結果に応じて遊技を進行する遊技機であって、
前記遊技の進行に応じて演出パターンを決定する演出制御手段と、
前記演出パターンに基づく演出情報を、シリアル通信を通じて出力する通信コントローラと、
前記演出情報に基づいて演出を実行する演出ドライバと、
を備え、
前記演出制御手段は、前記演出パターンに基づくバイト単位の演出情報の下位側に、前記演出ドライバで必要となるビット単位の追加情報を付加するとともに、上位側に、所定の予備情報を付加することで、拡張されたバイト単位の演出情報を生成し、
前記通信コントローラは、前記拡張されたバイト単位の演出情報のうち、下位側から、前記演出ドライバで用いられるビット単位の演出情報を出力する遊技機。
【請求項２】
前記通信コントローラは、前記拡張されたバイト単位の演出情報を受信し、前記予備情報を出力することなく次の前記拡張されたバイト単位の演出情報を出力することで、前記ビット単位の演出情報を出力する請求項１に記載の遊技機。
【発明の詳細な説明】
【技術分野】
【０００１】
本発明は、遊技者に遊技上の利益を付与するか否かを抽選により決定する遊技機に関する。
【背景技術】
【０００２】
遊技機としてのスロットマシンでは、遊技者によるメダル（遊技媒体）のベットおよびスタートスイッチの操作に応じて、当選役の抽選を行うとともに、種々の図柄が記された複数のリールが回転する。そして、抽選結果と遊技者によるストップスイッチの操作に応じてリールが順次停止され、払い出しの対象となるライン上である有効ライン上に、当選役に対応する図柄組み合わせが表示されると、所定枚数のメダルが払い出されるなど、遊技上の利益（以下、単に遊技利益という）が遊技者に付与されることとなる。
【０００３】
このような遊技機では、遊技者に対し、特別図柄表示器における変動表示が大当たりであることに期待を持たせるべく、その変動表示に合わせて、遊技機に設けられた役物を駆動する演出を行うことがある。このような演出を実現すべく、例えば、サブ基板で生成された制御信号を一旦シリアルデータに変換し、スレーブ基板側の演出ドライバでシリアル−パラレル変換してから役物を動作させる技術が知られている（例えば、特許文献１）。
【先行技術文献】
【特許文献】
【０００４】
【特許文献１】特開２０１７−１３１４１１号公報
【発明の概要】
【発明が解決しようとする課題】
【０００５】
このように、演出を実行する演出ドライバと、演出ドライバに情報を提供するコントローラとの間の通信をシリアル通信とすることで、ハーネス数の削減のみならず、セキュリティの向上や通信の安定化を図ることができる。
【０００６】
また、演出ドライバでは、取り扱うことができる情報量の増加に伴い、管理する情報の長さがビット単位で拡張されている。一方、コントローラより上位の装置では、一般に、情報がバイト単位で扱われるので、コントローラより上位の装置と演出ドライバとの間で情報の長さの不一致が生じ、演出ドライバを適切に制御できない問題があった。
【０００７】
本発明は、このような課題に鑑み、ビット操作によって情報の長さの不一致を吸収し、演出ドライバを適切に制御することが可能な遊技機を提供することを目的としている。
【課題を解決するための手段】
【０００８】
上記課題を解決するために、本発明の遊技機は、所定の契機に基づいて遊技者に有利な遊技利益を付与するための抽選を行い、この抽選結果に応じて遊技を進行する遊技機であって、前記遊技の進行に応じて演出パターンを決定する演出制御手段と、前記演出パターンに基づく演出情報を、シリアル通信を通じて出力する通信コントローラと、前記演出情報に基づいて演出を実行する演出ドライバと、を備え、前記演出制御手段は、前記演出パターンに基づくバイト単位の演出情報の下位側に、前記演出ドライバで必要となるビット単位の追加情報を付加するとともに、上位側に、所定の予備情報を付加することで、拡張されたバイト単位の演出情報を生成し、前記通信コントローラは、前記拡張されたバイト単位の演出情報のうち、下位側から、前記演出ドライバで用いられるビット単位の演出情報を出力する。
【０００９】
前記通信コントローラは、前記拡張されたバイト単位の演出情報を受信し、前記予備情報を出力することなく次の前記拡張されたバイト単位の演出情報を出力することで、前記ビット単位の演出情報を出力するとしてもよい。
【発明の効果】
【００１０】
本発明によれば、ビット操作によって情報の長さの不一致を吸収し、演出ドライバを適切に制御することが可能となる。
【図面の簡単な説明】
【００１１】
【図１】スロットマシンの概略的な機械的構成を説明するための外観図である。
【図２】スロットマシンの概略的な機械的構成を説明するための前面扉を開いた状態での外観図である。
【図３】リールの図柄配列および有効ラインを説明する図である。
【図４】スロットマシンの概略的な電気的構成を示したブロック図である。
【図５】当選役を説明するための説明図である。
【図６】遊技状態の遷移を説明するための説明図である。
【図７】当選役抽選テーブルを示す図である。
【図８】主制御基板のメイン処理を示したフローチャートである。
【図９】副制御基板における、液晶表示部、スピーカ、演出用装置の制御態様を説明するためのブロック図である。
【図１０】共通する制御態様を示すフローチャートである。
【図１１】演出ランプの制御態様を説明するためのブロック図である。
【図１２】ＤＭＡプログラムの基本的な設定態様を説明するための説明図である。
【図１３】ＤＭＡプログラムの設定態様を説明するための説明図である。
【図１４】通信コントローラの転送時間を説明するためのタイミングチャートである。
【図１５】発光情報の加工態様を示す説明図である。
【図１６】通信コントローラの動作を説明するための説明図である。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
本発明の実施形態の理解を容易にするため、まず、遊技者が遊技可能なスロットマシン（遊技機）の機械的構成および電気的構成を簡単に説明し、その後、スロットマシンの各基板における具体的な処理（役構成や遊技状態の遷移）および本実施形態で特徴的な処理を説明し、これらを実現するためのフローチャートを詳述する。
【００１４】
（スロットマシン１００の機械的構成）
図１および図２の外観図に示すように、スロットマシン１００は、略矩形状の箱体である筐体１０２と、筐体１０２の前面開口部に対して開閉可能に取り付けられた前面上扉１０４と、前面上扉１０４の下方に位置し、前面上扉１０４同様、筐体１０２の前面開口部に対して開閉可能に取り付けられた前面下扉１０６と、前面下扉１０６の下部に位置し、メダル排出口１０８ａから払い出されたメダルを貯留するための受け皿部１０８とを備えている。
【００１５】
前面下扉１０６の上部には操作部設置台１２２が形成され、操作部設置台１２２には、メダル投入部１２４、ベットスイッチ１２６、スタートスイッチ１２８、ストップスイッチ１３０等が配設されている。
【００１６】
操作部設置台１２２の右側に位置するメダル投入部１２４は、メダル投入口（投入口）１２４ａを通じて遊技媒体としてのメダルの投入を受け付け、前面下扉１０６の背面に設けられたメダルセレクタ（図示せず）にメダルを送る。メダルセレクタには、メダルの投入が可能な投入期間外に投入されたメダルや規格外のメダルをメダル排出口１０８ａに導くブロッカー（図示せず）と、投入期間内に投入された規格内のメダルの通過を検出する投入メダル検出部１２４ｂとが設けられている。ここで、メダル排出口１０８ａに導かれたメダルは受け皿部１０８に排出される。遊技者により、１遊技を開始するために必要なメダルのベット枚数である複数の規定枚数のうち、最大規定枚数（例えば３枚）を超えてメダルが投入されると、その最大規定枚数を超えた分のメダルが、所定の上限枚数（例えば５０枚）を上限としてスロットマシン１００の内部（メインＲＡＭ２００ｃ）に電気的に貯留（以下、単にクレジットという）される。上記１遊技については後程詳述する。
【００１７】
また、ここでは、規定枚数は「１」〜「３」の複数が設定されている。なお、１遊技を実行するために必要な規定枚数を、遊技者は複数の規定枚数から任意に選択でき、その複数の規定枚数の中の最大のものを最大規定枚数といい、最小のものを最小規定枚数という。本実施形態では、最大規定枚数は「３」となり、最小規定枚数は「１」となる。
【００１８】
ベットスイッチ１２６は、クレジットされているメダルのうち最大規定枚数のメダルをベットする、押圧式のボタンスイッチである。最大規定枚数以上のメダルがクレジットされている状態で、ベットスイッチ１２６を押圧すると、最大規定枚数のメダルがベットされるとともに、貯留枚数が最大規定枚数分だけ減枚される。なお、最大規定枚数未満のメダルがクレジットされている状態で、ベットスイッチ１２６を押圧すると、貯留枚数のメダルの全てがベットされるとともに、貯留枚数が０枚に減枚される。
【００１９】
操作部設置台１２２の左側に位置するスタートスイッチ１２８は、傾倒操作を検出可能なレバーで構成され、遊技者による１遊技の開始操作を検出する。また、スタートスイッチ１２８は、押圧操作を検出可能なボタンスイッチによって構成することも可能である。
【００２０】
前面上扉１０４の下部略中央には、ガラス板や透明樹脂板等で構成された無色透明の図柄表示窓１３６が設けられ、筐体１０２内の図柄表示窓１３６に対応した位置には、リールユニット１３４が設けられている。リールユニット１３４には、図３（ａ）のリールの図柄配列に示すように、２１に等分された各領域に複数種類の図柄がそれぞれ配列された３つのリール１３４ａ、１３４ｂ、１３４ｃが、それぞれ独立して回動可能に設けられ、遊技者は、図柄表示窓１３６を通じて、リール１３４ａ、１３４ｂ、１３４ｃを視認することができる。リールユニット１３４は、スタートスイッチ１２８の操作を契機として、リール１３４ａ、１３４ｂ、１３４ｃの回転を開始する。
【００２１】
操作部設置台１２２の中央に位置するストップスイッチ１３０は、リール１３４ａ、１３４ｂ、１３４ｃそれぞれに対応して設けられた、遊技者の押圧操作を検出可能なボタンスイッチであり、リール１３４ａ、１３４ｂ、１３４ｃそれぞれを停止させようとする遊技者の停止操作を検出する。なお、ストップスイッチ１３０に係る３つのボタンスイッチを、その位置に応じて左から順にストップスイッチ１３０ａ、１３０ｂ、１３０ｃとする。
【００２２】
このように、ストップスイッチ１３０ａ、１３０ｂ、１３０ｃを通じた停止操作により、リール１３４ａ、１３４ｂ、１３４ｃがそれぞれ停止する。ここでは、その停止態様を遊技者が把握できるように、図３（ｂ）のように、有効ラインが設けられている。有効ラインは１本であり、具体的に、図柄表示窓１３６に臨む９つの図柄（３リール×上中下の３段）のうち、リール１３４ａ、１３４ｂ、１３４ｃの中段に停止する図柄に対応する位置を結んだラインを当選役の入賞を判定するための有効ラインＡとして設定している。また、無効ラインは、有効ラインＡ上に表示された図柄組み合わせのみでは当選役を把握しにくい場合に、当選役の把握を容易にする他の図柄組み合わせを表示する、当選役の入賞判定には用いられない有効ラインＡ以外のラインであり、本実施形態では、図３（ｂ）に示す４つの無効ラインＢ１、Ｂ２、Ｃ１、Ｃ２を想定している。
【００２３】
前面上扉１０４の上部略中央には、演出に伴う様々な映像を表示する液晶表示部（画像表示部）１３８が設けられている。また、前面上扉１０４の上部や左右には、演出に用いられる演出用装置１４２が設けられる。演出用装置１４２としては、例えば、高輝度の発光ダイオード（ＬＥＤ）によって構成される演出ランプ１６０や、液晶表示部１３８の左右に設けられ、液晶表示部１３８の前面を左右方向に移動することで液晶表示部１３８の一部を覆う、扉（シャッタ）に見立てた演出役物装置１６２や、遊技者の操作を受け付ける演出操作装置１６４が配されている。
【００２４】
また、図２に示すように、前面上扉１０４の裏面における液晶表示部１３８の左右位置や前面下扉１０６の裏面における内面左右位置には、効果音や楽音等による聴覚的な演出を行うスピーカ１４０が設けられている。さらに、筐体１０２内におけるリールユニット１３４の下方には、メダル排出口１０８ａからメダルを払い出すためのメダル払出装置（メダルホッパー）２６４が設けられている。メダル払出装置２６４は、メダルを貯留するメダル貯留部２６４ａと、メダル貯留部２６４ａに貯留されたメダルをメダル排出口１０８ａから排出するための払出制御部２６４ｂと、メダル排出口１０８ａから排出されるメダルを検出する払出メダル検出部２６４ｃとを備えている。
【００２５】
また、図１や図２では図示していないが、各リール１３４ａ、１３４ｂ、１３４ｃの内側には、それぞれに施された図柄のうち、図柄表示窓１３６に対応する（有効ラインＡや無効ラインＢ１、Ｂ２、Ｃ１、Ｃ２の対象となり得る）各リール１３４ａ、１３４ｂ、１３４ｃの上段、中段、下段の図柄を背面から個々に独立して照射するリールバックライト１４４（図４参照）が設けられている。また、図柄表示窓１３６の裏面上部にもリール１３４ａ、１３４ｂ、１３４ｃ全ての正面を直接照射するリール上方ライト１４６が設けられている。
【００２６】
また、図１に示すように、操作部設置台１２２において、図柄表示窓１３６とストップスイッチ１３０との間に設けられた段部１２２ａの略水平面には、メインクレジット表示部１５２およびメイン払出表示部１５４が設けられている。また、図柄表示窓１３６と操作部設置台１２２との間には、サブクレジット表示部１５６およびサブ払出表示部１５８が設けられている。これらメインクレジット表示部１５２およびサブクレジット表示部１５６には内部的に記憶された貯留枚数が表示され、メイン払出表示部１５４およびサブ払出表示部１５８にはメダルの払出枚数が表示される。なお、サブクレジット表示部１５６およびサブ払出表示部１５８には、演出に伴う様々な数値を表示することもできる。
【００２７】
また、筐体１０２内の任意の位置には、電源スイッチ１４８が設けられている。電源スイッチ１４８は、ロッカースイッチ等、押圧操作を検出可能なスイッチで構成され、当該スロットマシン１００を管理する管理者側が操作し、電源の切断状態と電源の投入状態の２つの状態を切り換えるために用いられる。
【００２８】
なお、本実施形態において、上記１遊技は、メダル投入部１２４を通じたメダルの投入、ベットスイッチ１２６の操作を通じたクレジットされているメダルの投入、または、リプレイ役が有効ラインＡ上に表示されたことに基づくメダルの自動投入のいずれかが行われてから、遊技者によるスタートスイッチ１２８の操作に応じて、複数のリール１３４ａ、１３４ｂ、１３４ｃが回転制御されるとともに当選役抽選が実行され、当選役抽選の抽選結果および遊技者による複数のストップスイッチ１３０ａ、１３０ｂ、１３０ｃの操作に応じて、操作されたストップスイッチ１３０ａ、１３０ｂ、１３０ｃに対応するリール１３４ａ、１３４ｂ、１３４ｃがそれぞれ停止制御され、メダルの払い出しを受け得る当選役に入賞した場合、そのメダルの払い出しが実行されるまでの遊技をいう。また、メダルの払い出しを受け得る当選役に非当選であった場合または当選したが入賞しなかった場合、リール１３４ａ、１３４ｂ、１３４ｃが全て停止したことをもって１遊技が終了する。ただし、１遊技の開始を、上記のメダルの投入、または、リプレイ役の当選の代わりに、遊技者によるスタートスイッチ１２８の操作と読み替えてもよい。また、かかる１遊技が繰り返される数を遊技数とする。
【００２９】
（スロットマシン１００の電気的構成）
図４は、スロットマシン１００の概略的な電気的構成を示したブロック図である。図４に示すように、スロットマシン１００は、主として、制御基板によって制御されている。ここでは、制御基板の一例として、制御基板の機能を分担した、主制御基板２００と、副制御基板２０２とを挙げて説明する。例えば、遊技の進行に関わるプログラムのうち、遊技に供する当選役の抽選やその入賞といったような、特に重要な処理を主制御基板２００で実行し、それ以外の例えば演出に関する処理を副制御基板２０２で実行している。また、図４に示したように、主制御基板２００と副制御基板２０２との間の電気的な信号の伝達は、不正防止等の観点から、主制御基板２００から副制御基板２０２への一方向のみに制限される。ただし、このような制限がなければ、電気的に双方向通信も技術的に可能である。
【００３０】
（主制御基板２００）
主制御基板２００は、中央処理装置であるメインＣＰＵ２００ａ、プログラム等が格納されたメインＲＯＭ２００ｂ、ワークエリアとして機能するメインＲＡＭ２００ｃ等を含む各種半導体集積回路を有し、スロットマシン１００全体を統括的に制御する。ただし、メインＲＡＭ２００ｃには不図示のバックアップ電源が接続されており、電源が切断された場合においても、設定変更が行われてメインＲＡＭ２００ｃの初期化処理を実行しない限り、データが消去されることなく保持される。
【００３１】
また、主制御基板２００は、メインＣＰＵ２００ａが、メインＲＯＭ２００ｂに格納されたプログラムに基づきメインＲＡＭ２００ｃと協働することで機能する、初期化手段３００、ベット手段３０２、当選役抽選手段３０４、リール制御手段３０６、判定手段３０８、払出制御手段３１０、状態移行手段３１２、コマンド決定手段３１４、コマンド送信手段３１６等の機能部を有する。
【００３２】
初期化手段３００は、主制御基板２００における初期化処理を実行する。ベット手段３０２は、遊技に使用するためのメダルをベットする。ここで、ベットは、ベットスイッチ１２６の操作を通じてクレジットされているメダルを投入する場合と、メダル投入部１２４を通じてメダルを投入する場合と、リプレイ役が有効ラインＡ上に表示されたことに基づいてメダルを自動投入する場合のいずれも含む。当選役抽選手段３０４は、メダルのベットおよびスタートスイッチ１２８の操作に基づき、小役、リプレイ役、および、ボーナス役を含む複数種類の当選役、ならびに、不当選のうちいずれかを当選役抽選により決定する。
【００３３】
リール制御手段３０６は、スタートスイッチ１２８の操作に応じて、複数のリール１３４ａ、１３４ｂ、１３４ｃを回転制御し、回転しているリール１３４ａ、１３４ｂ、１３４ｃにそれぞれ対応した複数のストップスイッチ１３０ａ、１３０ｂ、１３０ｃの操作に応じ、操作されたストップスイッチ１３０ａ、１３０ｂ、１３０ｃに対応するリール１３４ａ、１３４ｂ、１３４ｃをそれぞれ停止制御する。また、リール制御手段３０６は、スタートスイッチ１２８の操作に応じて、前回の遊技においてストップスイッチ１３０の操作を有効化してから、当選役抽選の抽選結果を表示するために遊技者によるストップスイッチ１３０の操作を有効化するまで（前回の遊技におけるストップスイッチ１３０の操作完了により無効化されている）の時間を規定の時間（ウェイト時間、例えば、４．１秒）より延長し、その間、リール１３４ａ、１３４ｂ、１３４ｃを多彩な態様で回転制御するリール演出（フリーズ演出）を行う場合がある。リール演出は、本来有効となるべき任意のスイッチを所定時間有効にしなかったり、本来実行されるべき処理を所定時間保留したり、本来送受信されるべき任意のスイッチの信号を所定時間送信または受信させなかったりすることでも実現できる。
【００３４】
判定手段３０８は、当選役抽選で決定した当選役に対応する図柄組み合わせが有効ラインＡ上に表示されたか否か判定する。ここで、当選役抽選で決定した当選役に対応する図柄組み合わせが有効ラインＡ上に表示されることを単に入賞という場合がある。払出制御手段３１０は、当選役抽選で決定した当選役に対応する図柄組み合わせが有効ラインＡ上に表示されたこと（入賞したこと）に基づいて、当該当選役に対応する数だけメダルを払い出す。状態移行手段３１２は、ボーナス役の当選や入賞に基づいて遊技状態を遷移させる。
【００３５】
コマンド決定手段３１４は、ベット手段３０２、当選役抽選手段３０４、リール制御手段３０６、判定手段３０８、払出制御手段３１０、状態移行手段３１２等の動作に伴う、遊技に関するコマンドを順次決定する。コマンド送信手段３１６は、コマンド決定手段３１４が決定したコマンドを副制御基板２０２に順次送信する。
【００３６】
主制御基板２００では、投入メダル検出部１２４ｂ、ベットスイッチ１２６、スタートスイッチ１２８およびストップスイッチ１３０から各種の検出信号を受信しており、受信した検出信号に基づいて、ベット手段３０２、当選役抽選手段３０４、リール制御手段３０６、判定手段３０８が上述した種々の処理を実行する。また、主制御基板２００には、メインクレジット表示部１５２およびメイン払出表示部１５４が接続されており、払出制御手段３１０が両表示部１５２、１５４に対してメダルの貯留枚数や払出枚数の表示を制御する。
【００３７】
また、主制御基板２００には、リール駆動制御部２５８が接続されている。このリール駆動制御部２５８は、スタートスイッチ１２８の操作信号に応じ、リール制御手段３０６から送信される各リール１３４ａ、１３４ｂ、１３４ｃの回転開始信号に基づいて、ステッピングモータ２６２を駆動するとともに、ストップスイッチ１３０の操作信号に応じ、リール制御手段３０６から送信される、リール１３４ａ、１３４ｂ、１３４ｃそれぞれの停止信号および回転位置検出回路２６０の検出信号に基づいて、ステッピングモータ２６２の駆動を停止する。
【００３８】
また、主制御基板２００には、メダル払出装置２６４が接続されている。主制御基板２００には払出メダル検出部２６４ｃの検出信号が入力されるようになっており、払出制御手段３１０は、その検出信号に応じてメダルの払出枚数を計数しながら払出制御部２６４ｂからのメダルの排出を制御する。
【００３９】
また、主制御基板２００には、乱数発生器２００ｄが設けられる。乱数発生器２００ｄは、計数値を順次インクリメントし、所定の総数（例えば６５５３６）内でループさせ（０〜６５５３５）、所定の時点における計数値を抽出することで乱数を生成（取得）する。主制御基板２００の乱数発生器２００ｄによって生成される乱数（以下、当選役抽選乱数という）は、遊技者に付与する、遊技者に有利な遊技利益、例えば、当選役抽選手段３０４が当選役を決定するために用いられる。
【００４０】
（副制御基板２０２）
また、副制御基板２０２は、主制御基板２００と同様に、中央処理装置であるサブＣＰＵ２０２ａ、プログラム等が格納されたサブＲＯＭ２０２ｂ、ワークエリアとして機能するサブＲＡＭ２０２ｃ等を含む各種半導体集積回路を有し、主制御基板２００からのコマンドに基づき、特に演出を制御する。また、サブＲＡＭ２０２ｃにもメインＲＡＭ２００ｃ同様、不図示のバックアップ電源が接続されており、電源が切断された場合においても、データが消去されることなく保持される。なお、副制御基板２０２にも、主制御基板２００同様、乱数発生器２０２ｄが設けられており、乱数発生器２０２ｄによって生成される乱数（以下、演出抽選乱数という）は、主に演出の態様を決定するために用いられる。
【００４１】
また、副制御基板２０２は、サブＣＰＵ２０２ａが、サブＲＯＭ２０２ｂに格納されたプログラムに基づき、サブＲＡＭ２０２ｃと協働することで機能する、初期化決定手段３３０、コマンド受信手段３３２、演出制御手段３３４等の機能部を有する。
【００４２】
初期化決定手段３３０は、副制御基板２０２における初期化処理を実行する。コマンド受信手段３３２は、主制御基板２００等、他の制御基板からのコマンドを受信し、コマンドに対する処理を行う。演出制御手段３３４は、当選役コマンドに基づいて液晶表示部１３８、スピーカ１４０、演出用装置１４２の各デバイスで行われる遊技の演出を決定する。具体的に、演出制御手段３３４は、液晶表示部１３８に表示される画像データや、演出ランプ１６０、リールバックライト１４４、リール上方ライト１４６、サブクレジット表示部１５６、サブ払出表示部１５８等（以下、演出ランプ１６０、リールバックライト１４４、リール上方ライト１４６、サブクレジット表示部１５６、サブ払出表示部１５８を纏めて単に「演出ランプ１６０」という場合がある）の電飾機器を通じた演出のための発光パターンや、演出役物装置１６２の駆動パターンを決定するとともに、スピーカ１４０から出力すべき音声を構成する音声データを決定する。そして、演出制御手段３３４は、決定した遊技の演出を実行する。
【００４３】
演出は、上述したリール演出のような主制御基板２００によって実行される演出と、副制御基板２０２によって実行される演出がある。副制御基板２０２によって実行される演出は、遊技の進行に伴い、液晶表示部１３８、スピーカ１４０、演出ランプ１６０等を通じて提供される視覚的および聴覚的な表現手段であり、当該遊技にストーリー性を与えたり、当選役抽選の結果をよりダイナミックな画像で示唆したりすることができる。このような演出では、例えば、ボーナス遊技の当選を示唆する演出を複数遊技に亘って行い、遊技者の期待感を高めることができる。また、たとえ、いずれの当選役にも当選していなかったとしても、恰も当選しているかのような演出を通じて遊技者に高配当の期待感を持たせ、遊技者を飽きさせないようにすることが可能となる。上記の主制御基板２００および副制御基板２０２を連動させることで、様々な遊技性を構築することができる。以下、主となる遊技態様を詳述する。
【００４４】
（主制御基板２００で用いられるテーブル）
スロットマシン１００においては、複数の遊技状態が設けられており、遊技の進行に応じて遊技状態が遷移する。そして、主制御基板２００では、状態移行手段３１２により管理される遊技状態に対応する複数の当選役抽選テーブル等がメインＲＯＭ２００ｂに格納されている。当選役抽選手段３０４は、メインＲＡＭ２００ｃに記憶された現在の遊技状態（後述するボーナス役の成立有無に基づく遊技状態等）に応じて、対応する当選役抽選テーブルをメインＲＯＭ２００ｂから抽出し、抽出した当選役抽選テーブルと現在の設定値に基づき、スタートスイッチ１２８の操作信号に応じて取得された当選役抽選乱数が当選役抽選テーブル内のいずれの当選役または不当選に対応するか判定する。ここで、設定値は、遊技利益を得る容易性を段階的に示したものであり、その設定値の数値が高いほど、遊技利益を得易い。なお、設定値は、一般的に、ホール側管理者により少なくとも遊技開始時には決定されており、遊技者が、遊技中に設定値を取得および変更することはできないようになっている。
【００４５】
ここで、当選役抽選テーブルで抽出される当選役には、リプレイ役、小役、ボーナス役がある。このような当選役に対応する図柄組み合わせが、有効ラインＡ上に揃った状態を表示または入賞といい、当選役に当選し、その当選役に対応する図柄組み合わせが表示されるまでの状態を内部当選状態とする。当選役のうちのリプレイ役は、そのリプレイ役に対応する図柄組み合わせが有効ラインＡ上に表示されると、遊技者によるメダルの新たなるベットを行わずして再度１遊技を実行できる役であり、小役は、その小役に対応する図柄組み合わせが有効ラインＡ上に表示されることにより、図柄組み合わせに応じて所定枚数のメダルの払い出しを受けることができる役である。また、ボーナス役は、そのボーナス役に対応する図柄組み合わせが有効ラインＡ上に表示されることにより、状態移行手段３１２により管理される遊技状態をボーナス遊技状態に移行させることができる当選役である。以下に、当選役および遊技者に付与される遊技利益について説明する。
【００４６】
図５は、当選役を説明するための説明図であり、図６は、遊技状態の遷移を説明するための説明図である。
【００４７】
また、本実施形態においては、当選役として、図５に示すように、当選役「リプレイ」、「ベル」、「チェリー」、「スイカ」、「ビッグボーナス（以下「ＢＢ」という）」が設けられている。このうち、当選役「リプレイ」が上記リプレイ役に相当し、当選役「ベル」、「チェリー」、「スイカ」が上記小役に相当し、当選役「ＢＢ」が上記ボーナス役に相当する。
【００４８】
（リプレイ役）
当選役抽選の結果、当選役「リプレイ」に当選すると、図５に示した当選役「リプレイ」に対応する図柄組み合わせである、各リール１３４ａ、１３４ｂ、１３４ｃそれぞれに記される図柄「リプレイ」が有効ラインＡ上に表示可能となり、当選役「リプレイ」に対応する図柄組み合わせが有効ラインＡ上に表示されると、上記したように、遊技者によるベットを行わずして再度１遊技（再遊技）を実行できる。
【００４９】
ここで、本実施形態においては、遊技者によってストップスイッチ１３０が押圧操作されたときに、当選役に対応する図柄組み合わせを構成する図柄が有効ラインＡ上にある場合には、リール制御手段３０６によって、当該図柄が有効ラインＡ上に停止するように停止制御がなされる。また、ストップスイッチ１３０が押圧操作されたときに、当選役に対応する図柄組み合わせを構成する図柄が、有効ラインＡ上にはないが、各リール１３４ａ、１３４ｂ、１３４ｃの回転方向と反対の方向の図柄４コマ分に相当する範囲（引込範囲）内に存在している場合には、リール制御手段３０６によって、離れている図柄数が滑りコマ数となり、当該当選役に対応する図柄組み合わせを構成する図柄を有効ラインＡ上に引き込むように滑りコマ数分回転を維持した後に停止するように停止制御がなされる。また、当選役に対応する図柄が各リール１３４ａ、１３４ｂ、１３４ｃ中に複数あり、いずれも各リール１３４ａ、１３４ｂ、１３４ｃの引込範囲内に存在している場合には、予め定められた優先順位に従っていずれの図柄を有効ラインＡ上に引き込むか決定され、当該優先された図柄を有効ラインＡ上に引き込むように滑りコマ数分回転を維持した後に停止するように停止制御がなされる。なお、ストップスイッチ１３０が押圧操作されたときに、当選した当選役以外の当選役に対応する図柄組み合わせを構成する図柄が有効ラインＡ上にある場合には、リール制御手段３０６によって、その図柄を有効ラインＡ上に停止させないようにする、所謂蹴飛ばし処理も並行して実行される。
【００５０】
そして、各リール１３４ａ、１３４ｂ、１３４ｃにおいては、当選役「リプレイ」に対応する図柄組み合わせを構成する図柄が、上記の停止制御によって、必ず有効ラインＡ上に表示可能なように配列されている（図３および図５参照）。具体的に、当選役「リプレイ」に対応する図柄組み合わせを構成する図柄同士は、各リール１３４ａ、１３４ｂ、１３４ｃ内で最大図柄４コマ分しか離隔していないので、停止制御によって必ず有効ラインＡ上に表示することができる。このように、当選役「リプレイ」に当選すると、これら当選役「リプレイ」に対応する図柄組み合わせが、必ず、有効ラインＡ上に表示されることとなる。このようにして、当選役「リプレイ」に対応する図柄組み合わせが有効ラインＡ上に表示された場合には、メダルを投入することなく次の１遊技を開始することが可能となる。
【００５１】
（小役）
また、当選役抽選の結果、当選役「ベル」に当選した場合には、当選役「ベル」に対応する図柄組み合わせである、各リール１３４ａ、１３４ｂ、１３４ｃそれぞれに記される図柄「ベル」が有効ラインＡ上に表示可能となり、当選役「ベル」に対応する図柄組み合わせが有効ラインＡ上に表示された場合には、当選役に対応した枚数（ここでは９枚）のメダルが遊技者に払い出される。ここで、当選役「ベル」に対応する図柄組み合わせを構成する図柄「ベル」同士は、各リール１３４ａ、１３４ｂ、１３４ｃ内で最大図柄４つ分しか離隔していないので（図３および図５参照）、当選役「リプレイ」同様、上記の停止制御によって、必ず有効ラインＡ上に表示することができる。
【００５２】
また、当選役抽選の結果、当選役「チェリー」に当選すると、当選役「チェリー」に対応する図柄組み合わせである、リール１３４ａに記される図柄「チェリー」が有効ラインＡ上に表示可能となり、当選役「チェリー」に対応する図柄組み合わせが有効ラインＡ上に表示された場合には、当選役に対応した枚数（ここでは３枚）のメダルが遊技者に払い出される。なお、当選役「チェリー」に示される「ＡＮＹ」は、対応する有効ラインＡ上にいずれの図柄が停止してもよいことを示す。ただし、リール１３４ａにおいては、当選役「チェリー」に対応する図柄組み合わせを構成する図柄「チェリー」が、上記の停止制御によっても、有効ラインＡ上に表示されない場合があるように配列されている（図３および図５参照）。そのため、当選役「チェリー」に当選したとしても、所謂取りこぼしが生じることがあり、遊技者は、当選役「チェリー」に対応する図柄組み合わせを必ずしも有効ラインＡ上に表示させられるとは限らない。
【００５３】
また、当選役抽選の結果、当選役「スイカ」に当選すると、当選役「スイカ」に対応する図柄組み合わせである、各リール１３４ａ、１３４ｂ、１３４ｃそれぞれに記される図柄「スイカ」が有効ラインＡ上に表示可能となり、当選役「スイカ」に対応する図柄組み合わせが有効ラインＡ上に表示された場合には、当選役に対応した枚数（ここでは１５枚）のメダルが遊技者に払い出される。ただし、各リール１３４ａ、１３４ｂ、１３４ｃにおいては、当選役「スイカ」に対応する図柄組み合わせを構成する図柄「スイカ」が、上記の停止制御によっても、有効ラインＡ上に表示されない場合があるように配列されている（図３および図５参照）。そのため、当選役「スイカ」に当選したとしても、所謂取りこぼしが生じることがあり、遊技者は、当選役「スイカ」に対応する図柄組み合わせを必ずしも有効ラインＡ上に表示させられるとは限らない。
【００５４】
（ボーナス役）
また、当選役抽選の結果、当選役「ＢＢ」に当選すると、図５に示した当選役「ＢＢ」に対応する図柄組み合わせである、各リール１３４ａ、１３４ｂ、１３４ｃそれぞれに記される図柄「赤７」が有効ラインＡ上に表示可能となり、当選役「ＢＢ」に対応する図柄組み合わせが有効ラインＡ上に表示されると、遊技状態がボーナス遊技状態に設定され、次の１遊技（以下、単に次遊技という）以降、メダルが所定枚数（例えば、２９７枚）払い出されるまで、ボーナス遊技状態にて遊技を実行することが可能となる。なお、各リール１３４ａ、１３４ｂ、１３４ｃにおいては、それぞれ図柄「赤７」が、上記の停止制御によっても、有効ラインＡ上に表示されない場合があるように配列されている（図３および図５参照）。そのため、当選役「ＢＢ」に当選したとしても、遊技者は、当選役「ＢＢ」に対応する図柄組み合わせを必ずしも有効ラインＡ上に表示させられるとは限らない。
【００５５】
なお、上述したいずれかの当選役に当選すると、それぞれの当選役に対応する内部当選フラグが成立（ＯＮ）するとともに、この内部当選フラグの成立状況に応じて、リール１３４ａ、１３４ｂ、１３４ｃそれぞれの停止制御がなされることとなる。このとき、小役に当選したものの、その小役に対応する図柄組み合わせを、その１遊技内で有効ラインＡ上に表示させることができなかった場合には、当該１遊技の終了後に内部当選フラグがＯＦＦされる。つまり、小役の当選の権利は小役に当選した１遊技内のみに限られ、当該権利を次遊技に持ち越すことはできない。また、リプレイ役である当選役「リプレイ」に対応する内部当選フラグが成立した場合には、当選役「リプレイ」に対応する図柄組み合わせが必ず有効ラインＡ上に表示され、メダルを要することなく次遊技を行うために必要となる処理が行われた後に、当該内部当選フラグがＯＦＦされる。これらに対して、当選役「ＢＢ」に当選した場合には、ＢＢ内部当選フラグが成立（ＯＮ）するとともに、当選役「ＢＢ」に対応する図柄組み合わせが有効ラインＡ上に表示されるまで、ＢＢ内部当選フラグが遊技を跨いで持ち越される。
【００５６】
（遊技状態の遷移）
ここで、ＢＢ内部当選フラグについて、遊技状態の遷移と合わせて具体的に説明する。ＢＢ内部当選フラグが成立すると、ＢＢ内部当選フラグの成立状況に応じて、図６の（１）に示すように、主制御基板２００で管理している遊技状態が、ボーナス役である当選役「ＢＢ」に当選していないボーナス非成立遊技状態から、ボーナス遊技状態の準備状態に相当するボーナス成立遊技状態となり、ボーナス成立遊技状態に基づいてリール１３４ａ、１３４ｂ、１３４ｃそれぞれの停止制御がなされる。このとき、当選役「ＢＢ」に対応する図柄組み合わせを有効ラインＡ上に表示させることができなかった場合には、そのままＢＢ内部当選フラグが次遊技に持ち越され（ボーナス成立遊技状態が維持され）、次回以降の遊技においても当選役「ＢＢ」に対応する図柄組み合わせを有効ラインＡ上に表示させることが可能となる。そして、遊技者が、当選役「ＢＢ」に対応する図柄組み合わせを有効ラインＡ上に表示させると、図６の（２）に示すように、遊技状態がボーナス成立遊技状態からボーナス遊技状態に移行する。また、ボーナス遊技状態において、所定枚数（例えば、２９７枚）を超えるメダルが払い出されると、図６の（３）に示すように、遊技状態が、ボーナス遊技状態からボーナス非成立遊技状態に移行する。ただし、図６の（４）に破線の矢印で示すように、ボーナス非成立遊技状態における当選役「ＢＢ」が成立した遊技で、当選役「ＢＢ」に対応する図柄組み合わせを有効ラインＡ上に表示させた場合、ボーナス成立遊技状態を経由せず、直接、ボーナス遊技状態に移行する。
【００５７】
（当選役抽選テーブル）
図７は、当選役抽選乱数を判定する場合に用いられる当選役抽選テーブルを示す図である。当選役抽選テーブルでは、複数の当選領域が区画されており、各遊技状態によって抽選の対象となる当選役が異なったりする。図７は、各遊技状態（ボーナス非成立遊技状態、ボーナス成立遊技状態、ボーナス遊技状態）毎に割り当てられた当選領域（当選役）を「○」で表している。したがって、「○」が記載されていない当選領域は、その遊技状態に割り当てられていないことを示す。区画化された各当選領域にはそれぞれ当選範囲を示す数値である所定の置数（当選範囲値）と当選役が対応付けられており、遊技状態毎に割り当てられた全ての当選領域の置数を合計すると当選役抽選乱数の総数（６５５３６）となる。したがって、当選役それぞれが決定される確率は、当選領域に対応付けられた置数を当選役抽選乱数の総数で除算した値となる。当選役抽選手段３０４は、その時点の遊技状態に基づいて、当該当選役抽選テーブルにおける複数の当選領域のうち番号の高い方から、順次、置数を取得し、その置数を当選役抽選乱数から減算して、その減算値が０未満となると、その時点の当選領域に対応付けられた当選役を抽選結果としている。当該抽選の手順は、他の抽選においても適用できる。
【００５８】
また、各遊技状態によって抽選の対象となる当選役が異なっている。例えば、図７において、ボーナス非成立遊技状態と、ボーナス成立遊技状態とを比較すると、前者は当選役「ＢＢ」の抽選を行っているのに対し、後者では当選役「ＢＢ」の抽選を行っていない。これは、後者では、既に当選役「ＢＢ」に当選しているので重ねて当選役「ＢＢ」を当選させることができないからである。また、後者では、前者に比べ、当選役「リプレイ」の当選確率を高く設定している。また、図７のボーナス遊技状態によれば、重ねて当選役「ＢＢ」の抽選を行わないとともに、当選役「リプレイ」や当選役「スイカ」の抽選も行われない。また、当選役「ベル」が高確率で当選するように設定されているので、ボーナス非成立遊技状態やボーナス成立遊技状態と比べて、１遊技で獲得できる枚数の平均値を示す期待獲得枚数が高くなっている。なお、当選役抽選テーブルの当選領域０には、「不当選」が対応付けられており、当選役抽選によって「不当選」が決定すると、図５に示したいずれの当選役に対応する図柄組み合わせも有効ラインＡ上に表示されることなく、メダルの払い出し等が行われることはない。ただし、ボーナス成立遊技状態（ＢＢ内部当選フラグがＯＮ）において、当選役抽選によって「不当選」が決定すると、当選役「ＢＢ」に対応する図柄組み合わせが有効ラインＡ上に表示可能となる。
【００５９】
以下、主制御基板２００における具体的処理をフローチャートに基づいて説明する。
【００６０】
（主制御基板２００のメイン処理）
図８は、主制御基板２００のメイン処理を示したフローチャートである。ここでは、まず、主制御基板２００のメイン処理に沿って、初期化後の１遊技の概略を説明する。また、詳細な説明は省略するが、各処理が遂行される際、各処理において用いられるスイッチ（ベットスイッチ１２６、スタートスイッチ１２８、ストップスイッチ１３０ａ、１３０ｂ、１３０ｃ）は、処理の開始時に有効化され、処理の終了時に無効化される。
【００６１】
（ステップＳ１００）
電源スイッチ１４８を介してスロットマシン１００の電源が投入され、通電状態になると、初期化手段３００は、遊技開始に備え初期化処理を実行する。初期化手段３００は、電源が投入されている間、随時バックアップデータを生成し、そのバックアップデータをメインＲＡＭ２００ｃに保持している。したがって、不意の電断が生じたとしても、この初期化処理において、保持されたバックアップデータを用い電断前の状態に復帰させることができる。例えば、リール１３４ａ、１３４ｂ、１３４ｃの回転中に不意の電断が起きたとしても、復帰動作後に再度各リール１３４ａ、１３４ｂ、１３４ｃが回転している状態から開始される。したがって、初期化処理では、基本的に、メインＲＡＭ２００ｃの初期化（ＲＡＭクリア）は行われない。
【００６２】
（ステップＳ２００）
また、コマンド決定手段３１４は、ベット枚数に変更があった場合に、変更されたベット枚数および貯留枚数を示す投入コマンドを生成し、コマンド送信手段３１６は、生成された投入コマンドを副制御基板２０２に送信する。かかるベット処理Ｓ２００については、後程詳述する。
【００６３】
（ステップＳ３００）
次に、当選役抽選手段３０４は、スタートスイッチ１２８に対する遊技開始操作を有効化し、スタートスイッチ１２８の操作待ち状態に移行する。ここで、当選役抽選手段３０４は、遊技者によるスタートスイッチ１２８の操作に応じて、主制御基板２００の乱数発生器２００ｄによって更新された当選役抽選乱数から、スタートスイッチ１２８が操作された時点における１の当選役抽選乱数を取得する。そして、当選役抽選手段３０４は、図７に示した当選役抽選テーブル、および、現在設定されている遊技状態に基づいて、取得した当選役抽選乱数が、いずれの当選領域に対応するか判定し、判定された当選領域の当選役または不当選を抽選結果として決定する。また、コマンド決定手段３１４は、スタートスイッチ１２８の操作に応じて抽選結果が決定された後、当選役抽選の抽選結果（当選役または不当選）や遊技状態に関する情報等を含む当選役コマンドを生成し、コマンド送信手段３１６は、生成された当選役コマンドを副制御基板２０２に送信する。また、状態移行手段３１２は、ボーナス非成立遊技状態において当選役「ＢＢ」に当選したことに基づき遊技状態をボーナス非成立遊技状態からボーナス成立遊技状態へ移行させる。
【００６４】
（ステップＳ４００）
スタートスイッチ１２８が操作されると、リール制御手段３０６は、ステッピングモータ２６２を駆動してリール１３４ａ、１３４ｂ、１３４ｃを回転させる。このリール回転処理においては、前回の１遊技におけるリール１３４ａ、１３４ｂ、１３４ｃの回転開始時点から所定の時間（例えば４．１秒）が経過すると（ウェイト）、当該遊技におけるリール１３４ａ、１３４ｂ、１３４ｃの回転を開始し、リール１３４ａ、１３４ｂ、１３４ｃの全てが定速回転となったところで、ステップＳ５００に処理を移す。また、リール制御手段３０６は、リール演出を実行する場合もある。
【００６５】
（ステップＳ５００）
続いて、リール制御手段３０６は、ストップスイッチ１３０ａ、１３０ｂ、１３０ｃを有効化し、遊技者によるストップスイッチ１３０ａ、１３０ｂ、１３０ｃの操作を受け付けると、その操作に対応するリール１３４ａ、１３４ｂ、１３４ｃのいずれかを停止制御する。また、コマンド決定手段３１４は、ストップスイッチ１３０ａ、１３０ｂ、１３０ｃのいずれかの操作がなされると、操作がなされたストップスイッチ１３０ａ、１３０ｂ、１３０ｃの情報を示す停止コマンド（第１停止コマンド、第２停止コマンド、第３停止コマンド）を操作の度に生成し、コマンド送信手段３１６は、生成された停止コマンドを順次、副制御基板２０２に送信する。
【００６６】
（ステップＳ６００）
次に、判定手段３０８は、図３（ｂ）に示した有効ラインＡ上に表示された図柄組み合わせが予め定められたどの組み合わせに相当するかを判定し、その図柄組み合わせに応じて遊技状態の変更やリプレイに際して要求される種々の処理を実行する。また、コマンド決定手段３１４は、有効ラインＡ上に表示された図柄組み合わせや、有効ラインＡ上に小役に対応する図柄組み合わせが表示された場合におけるメダルの払出枚数等を含む入賞コマンドを生成し、コマンド送信手段３１６は、生成された入賞コマンドを副制御基板２０２に送信する。また、状態移行手段３１２は、ボーナス成立遊技状態において当選役「ＢＢ」に対応する図柄組み合わせが有効ラインＡ上に表示されたことに基づき、遊技状態をボーナス成立遊技状態からボーナス遊技状態へ移行させる。
【００６７】
（ステップＳ７００）
続いて、払出制御手段３１０は、ステップＳ６００における判定結果に基づき、例えば、有効ラインＡ上に小役に対応する図柄組み合わせが表示されると、当該小役に対応するメダルの払出処理を実行し、有効ラインＡ上にリプレイ役に対応する図柄組み合わせが表示されると、自動的に次遊技のベットを行うための処理を実行する。また、状態移行手段３１２は、ボーナス遊技状態においてメダルの所定枚数の払い出しが実行されると、遊技状態をボーナス遊技状態からボーナス非成立遊技状態へ移行させる。このように、払出制御手段３１０は、有効ラインＡ上に表示された図柄組み合わせに対応して種々の処理を遂行し、当該１遊技を終了する。また、コマンド決定手段３１４は、メダルの払出処理がなされた場合、払出処理がなされたことを示す払出コマンドを生成し、コマンド送信手段３１６は、生成された払出コマンドを副制御基板２０２に送信する。
【００６８】
ステップＳ２００からステップＳ７００までの一連の処理を通じて１遊技が実行される。以後は、ステップＳ２００からステップＳ７００までを繰り返すこととなる。
【００６９】
上述したように、副制御基板２０２において、演出制御手段３３４は、液晶表示部１３８、スピーカ１４０、演出用装置１４２（演出ランプ１６０、演出役物装置１６２、演出操作装置１６４）で行われる遊技の演出を決定する。
【００７０】
図９は、副制御基板２０２における、液晶表示部１３８、スピーカ１４０、演出用装置１４２の制御態様を説明するためのブロック図であり、図１０は、それらに共通する制御態様を示すフローチャートである。副制御基板２０２に設けられたサブＣＰＵ（ＣＰＵ）２０２ａは、サブＲＯＭ２０２ｂに格納されたプログラムおよびサブＲＡＭ２０２ｃと協働して、演出制御手段３３４として機能する。演出制御手段３３４は、主制御基板２００から送信されたコマンドを解読し、そのコマンドに対応する演出パターン（演出の一連の流れを示す内容）を決定する。そして、演出制御手段３３４は、決定された演出パターンに基づいて画像ＩＣ３６０ａ、楽曲ＩＣ３６２ａ、通信コントローラ３６４等の各デバイスにコマンドを送信して演出を実行させる。
【００７１】
このような演出は、電源が投入されている間、割込処理として常時遂行され、所定の割込周期（例えば３３ｍｓｅｃ）内に完了する。例えば、演出制御手段３３４は、図１０に示すように、所定の割込周期（例えば３３ｍｓｅｃ）の到来を待ち（Ｓ１０におけるＮＯ）、所定の割込周期が到来すると（Ｓ１０におけるＹＥＳ）、演出パターンに基づいた画像データ（演出パターンが示す演出のうち、液晶表示部１３８に表示する画像に相当するデータ）を決定する（Ｓ１１）。そして、演出制御手段３３４は、画像ＩＣ３６０ａに対して、画像データを特定可能な画像コマンドを送信し（Ｓ１２）、ステップＳ１０からの処理を繰り返す。画像ＩＣ３６０ａは、ＶＤＰ（Video Display Processor）とも呼ばれ、画像コマンドによって特定される画像データを画像ＲＯＭ３６０ｂから画像ＲＡＭ（ＶＲＡＭ）３６０ｃに読み出し、画像データを、順次、液晶表示部１３８に出力する。なお、液晶表示部１３８には、常に、何かしらの画像が表示される。したがって、演出制御手段３３４は、割込周期毎に、常に、画像データを決定していることとなる。なお、画像ＲＡＭ３６０ｃは、複数の異なるレイヤを有し、各レイヤに異なる画像データを保持させることができる。そして、画像ＩＣ３６０ａは、複数のレイヤに保持された画像データを重畳し、その重畳された画像データを液晶表示部１３８に出力する。
【００７２】
また、演出制御手段３３４は、所定の割込周期が到来すると、上記の画像ＩＣ３６０ａに対する制御に引き続き、演出パターンに基づいた楽曲データ（演出パターンが示す演出のうち、スピーカ１４０に出力する楽曲に相当するデータ）を決定する。そして、演出制御手段３３４は、楽曲ＩＣ３６２ａに対して、楽曲データを特定可能な楽曲コマンドを送信する。楽曲ＩＣ３６２ａは、楽曲コマンドによって特定される楽曲データを楽曲ＲＯＭ３６２ｂから楽曲ＩＣ３６２ａに読み出し、楽曲データを、順次、スピーカ１４０に出力する。なお、スピーカ１４０には、常に、何かしらの楽曲が出力されている。したがって、演出制御手段３３４は、割込周期毎に、常に、楽曲データを決定していることとなる。なお、楽曲ＩＣ３６２ａは、複数の楽曲バッファ（バッファ）を有し、各楽曲バッファに異なる楽曲データを保持させることができる。そして、楽曲ＩＣ３６２ａは、複数の楽曲バッファに保持された楽曲データを重畳し、その重畳された楽曲データをスピーカ１４０に出力する。
【００７３】
また、演出制御手段３３４は、所定の割込周期が到来すると、上記の画像ＩＣ３６０ａおよび楽曲ＩＣ３６２ａに対する制御に引き続き、演出パターンに基づいた発光パターン（演出パターンが示す演出のうち、演出ランプ１６０の一連の点灯態様を示す内容）および駆動パターン（演出パターンが示す演出のうち、演出役物装置１６２の一連の駆動態様を示す内容）を決定する。そして、演出制御手段３３４は、その発光パターンおよび駆動パターンに基づいて、通信コントローラ３６４にコマンドを送信する。通信コントローラ３６４は、かかるコマンドに従い、複数の演出ランプ１６０や演出役物装置１６２に対し、それぞれ独立して発光に関する情報（発光情報）や、駆動に関する、例えば、モータの回転方向（進行方向）、回転量（進行量）、回転速度（進行速度）といった情報（駆動情報）を生成し、生成された発光情報や駆動情報を、シリアル通信を通じて送信する。かかる発光情報や駆動情報は、演出を担う演出情報として扱われる。ここでシリアル通信が用いられるのは、ハーネスの数の抑制や取り回しを簡易化するためである。こうして、複数の演出ランプ１６０それぞれが独立して点灯制御されるとともに、複数の演出役物装置１６２それぞれが独立して駆動制御される。なお、演出ランプ１６０は、常に、点灯または消灯を繰り返している。したがって、演出制御手段３３４は、割込周期毎に、常に、発光パターンを決定していることとなる。また、演出役物装置１６２は、駆動パターンが決定されたときのみ動作している。したがって、駆動パターンは、画像データ、発光パターン、楽曲データと比較して決定される頻度が低い。
【００７４】
また、通信コントローラ３６４は、発光情報や駆動情報を、シリアル通信を通じて送信するとともに、シリアル通信を通じて演出操作装置１６４等の入力情報（操作有無、操作タイミング、操作回数、操作時間長等）を取得する。演出制御手段３３４は、かかる入力情報に応じて、液晶表示部１３８に所定の画像を表示する等、さまざまな演出を決定する。
【００７５】
ここでは、サブＣＰＵ２０２ａ、サブＲＡＭ２０２ｃ、画像ＩＣ３６０ａ、画像ＲＯＭ３６０ｂ、画像ＲＡＭ３６０ｃ、楽曲ＩＣ３６２ａ、楽曲ＲＯＭ３６２ｂ、通信コントローラ３６４等の一連の機能部が、ＳｏＣ（System-on-a-Chip）として１の集積回路に集積されている。ただし、かかるＳｏＣにいずれの機能部を集積するかは任意に設定することができる。
【００７６】
（演出ランプ１６０の制御）
図１１は、演出ランプ１６０の制御態様を説明するためのブロック図である。図１１では、特に、シリアル通信を通じた演出ランプ１６０の制御態様を説明する。なお、ここでは、本実施形態に関係のある素子および信号のみ説明し、本実施形態に関係のない素子および信号についてはその説明を省略する。
【００７７】
上述したように、演出制御手段３３４は、遊技の進行に応じて演出パターンを決定する。かかる演出パターンには、演出ランプ１６０に関する発光パターンも含まれる。そして、演出制御手段３３４は、演出パターンのうちの発光パターンに基づき、バス３６６を通じて通信コントローラ３６４にコマンドを送信する。
【００７８】
ただし、演出制御手段３３４は、バス３６６を通じて、直接、通信コントローラ３６４を制御するのみならず、ＤＭＡコントローラ３６８を通じて、間接的に、通信コントローラ３６４を制御することができる。演出パターンのうち、特に、発光パターンは、多数のＬＥＤ３７０に対する輝度情報が含まれ、輝度情報の転送に長時間を費やすこととなる。ここでは、ＤＭＡコントローラ３６８を介して演出ランプ１６０を制御することで、転送効率の向上を図る。
【００７９】
ＤＭＡコントローラ３６８（３６８ａ、３６８ｂ）は、発光パターンを演出制御手段３３４から受信し、その後、演出制御手段３３４の処理と独立して発光パターンに基づく処理を遂行する。具体的に、ＤＭＡコントローラ３６８は、発光パターンに基づいて、後述する演出ドライバ３７２で用いられる発光情報（演出情報）を通信コントローラ３６４に順次転送（出力）する。
【００８０】
通信コントローラ３６４（３６４ａ、３６４ｂ、３６４ｃ）は、ＤＭＡコントローラ３６８から発光情報を受信し、内部のバッファに一時的に格納し、シリアル通信を通じて演出ドライバ３７２に順次転送（出力）する。
【００８１】
演出ドライバ３７２（３７２ａ、３７２ｂ、３７２ｃ）は、ＤＭＡコントローラ３６８から受信した発光情報に基づいて演出を実行する。具体的に、演出ドライバ３７２は、発光情報に基づいて、演出ドライバ３７２に接続された各ＬＥＤ３７０に対し、その輝度を示すＰＷＭ（Pulse Width Modulation）信号を出力する。かかる演出ドライバ３７２とＬＥＤ３７０とは演出ランプ１６０として機能する。
【００８２】
図１２は、ＤＭＡプログラムの基本的な設定態様を説明するための説明図である。ＤＭＡプログラムには、図１２（ａ）に示すように、少なくとも（１）転送元のアドレス、（２）繰り返し回数、（３）転送先のアドレス、（４）インクリメント情報、が記述されている。ここで、（１）転送元のアドレスとしては、サブＲＡＭ２０２ｃにおける、転送すべき発光情報の先頭アドレス（開始アドレス）が記述され、（２）繰り返し回数としては、発光情報の転送を繰り返す回数、例えば、ＬＥＤが１００個あれば、１００が記述され、（３）転送先のアドレスとしては、転送先のアドレス、例えば、通信コントローラ３６４ａの物理的なアドレスが記述され、（４）インクリメント情報としては、転送元および転送先のアドレスを転送毎にインクリメントするか否か、例えば、転送元のアドレスはインクリメントし、転送先のアドレスはインクリメントしない（固定である）ことが記述される。
【００８３】
そして、演出制御手段３３４は、図１２（ｂ）のように、所定の割込周期が到来し発光パターンを決定すると（Ｓ２０におけるＹＥＳ）、その発光パターンに基づいてＤＭＡプログラムを呼び出し、１のＤＭＡコントローラ３６８、例えば、ＤＭＡコントローラ３６８ａを特定して、ＤＭＡコントローラ３６８ａに、呼び出したＤＭＡプログラムを設定する（Ｓ２１）。ＤＭＡプログラムを設定してしまえば、ＤＭＡコントローラ３６８ａが演出制御手段３３４と独立して動作するので、演出制御手段３３４は、その間、他の処理を遂行できる。ＤＭＡコントローラ３６８ａは、ＤＭＡプログラムに基づいてサブＲＡＭ２０２ｃから発光情報を読み出し、（２）繰り返し回数に記述された回数分、発光情報を転送すると、演出制御手段３３４に対し、転送完了割込を発生させる。転送完了割込が生じると（Ｓ２２におけるＹＥＳ）、演出制御手段３３４は、転送完了割込に基づく転送終了処理を実行して（Ｓ２３）、次の割込周期の到来を待つ。
【００８４】
ところで演出ランプ１６０は、その大まかな位置により、図１１に示す３つの演出ドライバ３７２ａ、３７２ｂ、３７２ｃに分割して管理される。例えば、リールバックライト１４４、リール上方ライト１４６を含む前面上扉１０４に設けられた演出ランプ１６０は、演出ドライバ３７２ａに管理され、サブクレジット表示部１５６、サブ払出表示部１５８を含む図柄表示窓１３６下方に設けられた演出ランプ１６０は、演出ドライバ３７２ｂに管理され、前面下扉１０６に設けられた演出ランプ１６０は、演出ドライバ３７２ｃに管理される。また、図１１に示すように、３つの演出ドライバ３７２ａ、３７２ｂ、３７２ｃには、それぞれ通信コントローラ３６４ａ、３６４ｂ、３６４ｃが対応付けられる。そして、このような通信コントローラ３６４ａ、３６４ｂ、３６４ｃへの発光情報の設定を、演出制御手段３３４と独立したＤＭＡコントローラ３６８で行うことで処理の効率化を図ることが可能となる。
【００８５】
しかし、本実施形態のＳｏＣではＤＭＡコントローラ３６８の数（チャンネル数）が２つしかなく、通信コントローラ３６４ａ、３６４ｂ、３６４ｃの数に満たない。したがって、通信コントローラ３６４それぞれにＤＭＡコントローラ３６８を単純に対応させようとすると、通信コントローラ３６４のうちの１つがＤＭＡコントローラ３６８と対応付けることができなくなる。そうすると、本来、ＤＭＡコントローラ３６８に任せ得る転送負荷を演出制御手段３３４自体が請け負わなければならなくなり、演出制御手段３３４の処理負荷の軽減につながらない。そこで、本実施形態では、ＤＭＡコントローラ３６８を効率的に管理して、複数の通信コントローラ３６４を纏めて制御する。
【００８６】
ここで、３つの演出ドライバ３７２ａ、３７２ｂ、３７２ｃの処理負荷、すなわち、それに対応する通信コントローラ３６４ａ、３６４ｂ、３６４ｃにおける、１回の割込周期に対し発光情報を全て転送するのに要する時間（以下、「転送時間」という）を比較すると、ＬＥＤの数の違いによって、通信コントローラ３６４ａ  <  通信コントローラ３６４ｂ  <  通信コントローラ３６４ｃとなる。換言すれば、通信コントローラ３６４ａの転送時間が最も短く、次に通信コントローラ３６４ｂの転送時間が長く、通信コントローラ３６４ｃの転送時間が最も長いこととなる。そこで、転送時間が比較的短い、通信コントローラ３６４ａおよび通信コントローラ３６４ｂを、タイミングを異にして１のＤＭＡコントローラ３６８ａ（第１のＤＭＡコントローラ）で制御し、転送時間が最も長い通信コントローラ３６４ｃをもう１つのＤＭＡコントローラ３６８ｂ（第２のＤＭＡコントローラ）で制御する。
【００８７】
図１３は、本実施形態におけるＤＭＡプログラムの設定態様を説明するための説明図であり、図１４は、通信コントローラ３６４の転送時間を説明するためのタイミングチャートである。演出制御手段３３４は、図１３（ａ）のように、所定の割込周期が到来し、発光パターンを決定すると（Ｓ３０におけるＹＥＳ）、その発光パターンに基づいて、ＤＭＡプログラムを呼び出す。ただし、ここでは、通信コントローラ３６４ａに対応する発光パターン（第１の演出パターン）に基づいて、通信コントローラ３６４ａに対応するＤＭＡプログラムを呼び出す。そして、演出制御手段３３４は、ＤＭＡコントローラ３６８ａ（第１のＤＭＡコントローラ）に呼び出した通信コントローラ３６４ａに対応するＤＭＡプログラムを設定する（Ｓ３１）。したがって、ＤＭＡプログラムの（３）転送先のアドレスには、通信コントローラ３６４ａのアドレスが記述されている（図１２（ａ）参照）。演出制御手段３３４は、ＤＭＡプログラムの設定後、他の処理を遂行できる。この間、ＤＭＡコントローラ３６８ａは、発光情報を通信コントローラ３６４ａに順次転送する。そして、転送完了割込が生じると（Ｓ３２におけるＹＥＳ）、演出制御手段３３４は、転送完了割込に基づく転送終了処理を実行する（Ｓ３３）。
【００８８】
また、転送完了割込に基づく転送終了処理が完了すると、演出制御手段３３４は、発光パターンに基づいて、再度、ＤＭＡプログラムを呼び出す。ただし、ここでは、通信コントローラ３６４ｂに対応する発光パターン（第２の演出パターン）に基づいて、通信コントローラ３６４ｂに対応するＤＭＡプログラムを呼び出す。そして、演出制御手段３３４は、ＤＭＡコントローラ３６８ａに呼び出した通信コントローラ３６４ｂに対応するＤＭＡプログラムを設定する（Ｓ３４）。したがって、ＤＭＡプログラムの（３）転送先のアドレスには、通信コントローラ３６４ｂのアドレスが記述されている（図１２（a）参照）。演出制御手段３３４は、ＤＭＡプログラムの設定後、再び他の処理を遂行できる。この間、ＤＭＡコントローラ３６８ａは、発光情報を通信コントローラ３６４ｂに順次転送する。そして、転送完了割込が生じると（Ｓ３５におけるＹＥＳ）、演出制御手段３３４は、転送完了割込に基づく転送終了処理を実行して（Ｓ３６）、次の割込周期の到来を待つ。
【００８９】
このように、演出制御手段３３４が通信コントローラ３６４ａ、通信コントローラ３６４ｂそれぞれの発光パターンに基づくＤＭＡプログラムを、タイミングを異にして１のＤＭＡコントローラ３６８ａに設定することで、通信コントローラ３６４とＤＭＡコントローラ３６８の数の違いをソフトフェア的に吸収して、処理の効率化を図ることが可能となる。
【００９０】
一方、演出制御手段３３４は、図１３（ａ）の処理と並行して、図１３（ｂ）のように、所定の割込周期が到来し発光パターンを決定すると（Ｓ４０におけるＹＥＳ）、その発光パターンに基づいてＤＭＡプログラムを呼び出し、ＤＭＡコントローラ３６８ｂ（第２のＤＭＡコントローラ）に、呼び出したＤＭＡプログラムを設定する（Ｓ４１）。ただし、ここでは、通信コントローラ３６４ｃに対応する発光パターン（第３の演出パターン）に基づいて、通信コントローラ３６４ｃに対応するＤＭＡプログラムが呼び出され、ＤＭＡプログラムの（３）転送先のアドレスには、通信コントローラ３６４ｃのアドレスが記述されている（図１２（ａ）参照）。演出制御手段３３４は、ＤＭＡプログラムの設定後、他の処理を遂行できる。この間、ＤＭＡコントローラ３６８ｂは、発光情報を通信コントローラ３６４ｃに順次転送する。そして、転送完了割込が生じると（Ｓ４２におけるＹＥＳ）、演出制御手段３３４は、転送完了割込に基づく転送終了処理を実行して（Ｓ４３）、次の割込周期の到来を待つ。
【００９１】
ここでは、通信コントローラ３６４ｃに対応する発光パターン（第３の演出パターン）に基づく発光情報の転送時間が、通信コントローラ３６４ａに対応する発光パターン（第１の演出パターン）に基づく発光情報の転送時間や、通信コントローラ３６４ｂに対応する発光パターン（第２の演出パターン）に基づく発光情報の転送時間より長い。したがって、２つの通信コントローラ３６４に対応する発光パターンを１のＤＭＡコントローラ３６８で処理しようと試みた場合、転送時間が短い方から２つの通信コントローラ３６４、すなわち、通信コントローラ３６４ａと通信コントローラ３６４ｂとを選択するとよい。かかる構成により、図１４に示すように、ＤＭＡコントローラ３６８が２つしかない状態であっても、割込周期である３３ｍｓｅｃ中に、通信コントローラ３６４ａに対応する発光パターンに基づく発光情報、通信コントローラ３６４ｂに対応する発光パターンに基づく発光情報、通信コントローラ３６４ｃに対応する発光パターンに基づく発光情報をすべて転送完了することができる。
【００９２】
なお、演出制御手段３３４は、１のＤＭＡコントローラ３６８において複数の発光パターンに基づく発光情報を転送する場合、その転送時間がより短い発光パターンに基づく発光情報を、転送時間がより長い発光パターンに基づく発光情報より先にＤＭＡコントローラ３６８に転送する。例えば、図１４の例では、通信コントローラ３６４ａに対応する発光パターンに基づく発光情報の転送時間の方が、通信コントローラ３６４ｂに対応する発光パターンに基づく発光情報の転送時間より短い。したがって、演出制御手段３３４は、ＤＭＡコントローラ３６８ａに対し、まず、通信コントローラ３６４ａに対応する発光パターンに基づく発光情報を転送し、その後、通信コントローラ３６４ｂに対応する発光パターンに基づく発光情報を転送する。
【００９３】
また、上述したように、演出制御手段３３４は、割込周期である３３ｍｓｅｃが到来すると、発光パターンを決定する。しかし、３３ｍｅｓｅｃが到来したとしても、前回の割込時に設定された通信コントローラ３６４が発光情報を転送している（転送を開始しかつ転送が継続している）間は、次の発光情報の転送を開始しない。したがって、通信コントローラ３６４は発光情報の転送を開始しさえすれば、その発光情報の転送を完了することができる。ここでは、通信コントローラ３６４ａに対応する発光パターンに基づく発光情報と、通信コントローラ３６４ｂに対応する発光パターンに基づく発光情報とをタイミングを異にして連続的に転送するため、先に、転送時間の短い通信コントローラ３６４ａに対応する発光パターンに基づく発光情報を転送することで、割込周期が到来したときに、次の通信コントローラ３６４ｂに対応する発光パターンに基づく発光情報が転送を開始している可能性が高くなる。このように、演出制御手段３３４は、ＤＭＡコントローラ３６８ａに対し、先に、通信コントローラ３６４ａに対応する発光パターンに基づく発光情報を転送し、その後、通信コントローラ３６４ｂに対応する発光パターンに基づく発光情報を転送することで、いずれの発光情報も確実に転送を完了する確率を高めることができる。
【００９４】
なお、ここでは、演出制御手段３３４が、２つの発光パターンを、タイミングを異にして１のＤＭＡコントローラ３６８ａに転送するとともに、１の発光パターンを、他のＤＭＡコントローラ３６８ｂに転送する例を挙げて説明したが、他のＤＭＡコントローラ３６８による転送は必須ではなく、１のＤＭＡコントローラ３６８ａに２つの発光パターンを、タイミングを異にして転送できれば足りる。
【００９５】
また、ここでは、演出制御手段３３４が、２つの発光パターンを、タイミングを異にして１のＤＭＡコントローラ３６８ａに転送する例を挙げて説明したが、かかる場合に限らず、３つ以上の発光パターンを、タイミングを異にして１のＤＭＡコントローラ３６８ａに転送してもよい。
【００９６】
（発光情報）
演出ドライバ３７２は、ＤＭＡコントローラ３６８からシリアル通信を通じて受信した発光情報に基づいて演出を実行する。なお、近年、演出ドライバ３７２の性能も向上し、取り扱うことができる情報量が増加し、それに伴い、管理する情報の長さがビット単位で拡張されている。例えば、本実施形態の演出ドライバ３７２では、演出制御手段３３４で用いられる８ビット長の発光情報を、そのままの情報量（８ビット）で処理することができる。しかし、演出ドライバ３７２が受信するデータには、かかる発光情報の下位側に、演出ドライバ３７２で必要となる通信ＡＣＫ（肯定応答もしくは確認応答）を示す追加情報（１ビット）が必ず加えられる。そうすると、演出ドライバ３７２が実際に受信する情報（発光情報＋追加情報）は９ビット（ビット単位）になる。
【００９７】
一方、演出制御手段３３４においては、発光パターンや発光情報等がバイト単位、すなわち、１バイト（８ビット）や２バイト（１６ビット）で扱われる。そうすると、演出制御手段３３４で取り扱われる情報と、演出ドライバ３７２で取り扱われる情報とのビット長が一致せず、発光パターンに基づいて単に発光情報を生成すると、一部のビットが欠落したりして、演出ドライバ３７２を適切に制御できなくなってしまう。そこで、本実施形態では、ビット操作によって情報の長さの不一致を吸収し、演出ドライバ３７２を適切に制御する。
【００９８】
図１５は、発光情報の加工態様を示す説明図である。演出制御手段３３４やその上位の装置では、発光情報（演出情報）がバイト単位である１バイト（８ビット）で表されている。かかるバイト単位の発光情報（演出情報）を、単に、非拡張バイト単位発光情報（非拡張バイト単位演出情報、第１演出情報）と呼ぶこともある。
【００９９】
そして、演出制御手段３３４は、図１５（ａ）のように、発光パターンに基づくバイト単位（ここでは１バイト）の発光情報を取得し、その下位側に、演出ドライバ３７２で必要となるビット単位（ここでは１ビット）の追加情報を付加するとともに、その上位側に、所定の予備情報を付加して、拡張されたバイト単位（ここでは２バイト）の発光情報を生成してサブＲＡＭ２０２ｃに一時的に格納する。かかる拡張されたバイト単位の発光情報（演出情報）を、単に、拡張バイト単位発光情報（拡張バイト単位演出情報、第２発光情報）と呼ぶこともある。具体的に、演出制御手段３３４は、拡張されたバイト単位（ここでは２バイト）のメモリ領域に下位側からバイト単位の発光情報を上書きし、バイト単位の発光情報を左に１ビットシフトする。ここで追加情報は、通信ＡＣＫを示す１〜８ビットの数値で示され、ここでは「０ｄ」固定である。なお、拡張されたバイト単位（ここでは２バイト）のメモリ領域を確保する動作が、所定の予備情報を付加する動作である。ここでは、予備情報の内容として「０００００００ｄ」を用いているが、任意の数値を採用することができ、また、不定（値の操作を一切行わない）としてもよい。これは、かかる予備情報はダミーとしてのみ機能し、最終的には削除されるからである。
【０１００】
こうして、演出ドライバ３７２で利用可能なビット単位（ここでは９ビット）の発光情報を下位側に含む拡張されたバイト単位（ここでは２バイト）の発光情報を生成することができる。そして、ＤＭＡコントローラ３６８は、図１５（ｂ）のように、拡張されたバイト単位（ここでは２バイト）の発光情報を通信コントローラ３６４に順次転送する。
【０１０１】
続いて、通信コントローラ３６４は、図１５（ｃ）のように、ＤＭＡコントローラ３６８から、拡張されたバイト単位（ここでは２バイト）の発光情報を取得してバッファに格納する。ただし、通信コントローラ３６４では、拡張されたバイト単位（ここでは２バイト）の発光情報のうち、下位側から、演出ドライバ３７２で用いられるビット単位（ここでは９ビット）の発光情報を演出ドライバ３７２に出力する。これは、通信コントローラ３６４における以下の機能により実現される。かかるビット単位の発光情報（演出情報）を、単に、ビット単位発光情報（ビット単位演出情報、第３発光情報）と呼ぶこともある。
【０１０２】
図１６は、通信コントローラ３６４の動作を説明するための説明図である。図１６中の個々の四角は受信バッファまたは送信バッファの各ビットを示し、クロスハッチングされた箇所は、そのバッファに発光情報が存在していることを示す。
【０１０３】
通信コントローラ３６４は、ＤＭＡコントローラ３６８から拡張されたバイト単位（ここでは２バイト）の発光情報を取得すると、まず、受信バッファに格納する（１）。かかる受信バッファは、１６ビットのシフトレジスタで構成され、発光情報を下位ビットから格納して、下位ビットから送信バッファに搬出する所謂ＦＩＦＯとして機能する。また、送信バッファは、１６ビットのシフトレジスタが１６段並行して設けられ、格納された順に発光情報を搬出するＦＩＦＯとして機能する。したがって、受信バッファは、発光情報が格納されていない送信バッファの１段分のシフトレジスタに発光情報を搬出し（２）、送信バッファは、受信バッファと独立して、発光情報が格納されたタイミングが古い段の発光情報を下位ビットから順次搬出する。
【０１０４】
ただし、送信バッファは、格納された１６ビット全ての発光情報を搬出せず、下位から、予め設定された所定ビット数（８〜１６ビットの間で任意に選択可能）の発光情報のみ搬出する（３）。ここでは、かかる所定ビット数を９ビットと設定している。したがって、通信コントローラ３６４は、拡張されたバイト単位（ここでは２バイト）の発光情報を受信し、上位側の予備情報（７ビット）を出力することなく、次の拡張されたバイト単位の発光情報を出力する動作を繰り返す。こうして、拡張されたバイト単位（ここでは２バイト）の発光情報のうち下位から９ビットのみ演出ドライバ３７２に出力することができる。ここで、送信されなかった残りの予備情報（７ビット）は送信バッファに残り、以後も出力されることはない。
【０１０５】
こうして、通信コントローラ３６４は、拡張されたバイト単位（ここでは２バイト）の発光情報を受信しつつ、ビット単位（ここでは９ビット）の発光情報（バイト単位の発光情報＋追加情報）のみを出力することができる。このようにして、ビット操作によって情報の長さの不一致を吸収し、演出ドライバ３７２を適切に制御することが可能となる。
【０１０６】
なお、ここでは、発光情報を通信コントローラ３６４で送信する例を挙げて説明したが、発光情報に限らず、演出に係る情報であれば足り、例えば、上述した演出パターンに基づく画像データ、楽曲データ、駆動情報等を適用することもできる。
【０１０７】
また、ここでは、演出制御手段３３４でバイト単位の発光情報に追加情報と予備情報とを加え拡張されたバイト単位の発光情報を生成する例を挙げて説明したが、かかる場合に限らず、例えば、その後段であるＤＭＡコントローラ３６８で、発光情報のビット長更新を実行してもよい。
【０１０８】
以上、添付図面を参照しながら本発明の好適な実施形態について説明したが、本発明はかかる実施形態に限定されないことはいうまでもない。当業者であれば、特許請求の範囲に記載された範疇において、各種の変更例または修正例に想到し得ることは明らかであり、それらについても当然に本発明の技術的範囲に属するものと了解される。
【０１０９】
また、上述した実施形態では、主制御基板２００と副制御基板２０２とが、遊技を進行するための機能部を分担するように配したが、主制御基板２００の機能部を副制御基板２０２に配しても、副制御基板２０２の機能部を主制御基板２００に配してもよく、また、全ての機能部を１の制御基板に纏めて配することもできる。
【０１１０】
また、上述した実施形態においては、遊技利益としてボーナス遊技を挙げて説明したが、かかる場合に限らず、遊技利益が大きい選択当選役と他の当選役とが重複した選択当選種別であり、ストップスイッチ１３０ａ、１３０ｂ、１３０ｃの操作態様が、複数の操作態様のうちの所定の操作態様（正解操作態様）であること、すなわち、所定の操作順（打順）または所定の操作タイミングあるいはこれらの組み合わせであることが選択当選役の入賞条件として設定された選択当選種別が当選役抽選により決定したときに、演出制御手段３３４が、その選択当選役の入賞条件となる正解操作態様を報知する補助演出を行うことで、当該選択当選役に対応する図柄組み合わせを、遊技者が有効ラインＡ上に容易に表示させることができる、所謂、ＡＴ（アシストタイム）を実行するＡＴ演出状態や、リプレイ役の当選確率が通常遊技より高くなるように設定してメダルの消費を抑えることで、メダルの消費に対する当選役の抽選機会を増やす、ＲＴ（リプレイタイム）遊技や、上記のＡＴとＲＴ遊技が同時に進行されるＡＲＴ遊技を設けてもよい。
【０１１１】
また、上述した実施形態では、スロットマシン１００において、発光情報等、演出を担う演出情報のビット長を変更したり、ＤＭＡコントローラ３６８へ演出パターンを複数送信する例を挙げて説明したが、パチンコ機によって、演出情報のビット長を変更したり、ＤＭＡコントローラ３６８へ演出パターンを複数送信してもよい。ここで、パチンコ機は、大当たり図柄を含む複数種類の図柄の中からいずれかを決定する図柄決定手段と、図柄が決定されてから所定の変動時間が経過すると、図柄表示部に図柄を表示させる図柄表示手段と、図柄表示部に大当たり図柄が表示されると、複数回のラウンド遊技で構成される大役遊技を実行する大役遊技実行手段と、大役遊技におけるラウンド遊技のうち予め設定された特定ラウンド遊技中に、大入賞口に入球した遊技球が特定領域に進入すると、所定の遊技利益を付与する遊技利益付与手段と、大役遊技中の演出を実行する演出実行手段と、を備えてもよい。
【０１１２】
また、上述した主制御基板２００および副制御基板２０２が行う各処理は、必ずしもフローチャートとして記載された順序に沿って時系列に処理する必要はなく、並列的あるいはサブルーチンによる処理を含んでもよい。
【符号の説明】
【０１１３】
１００  スロットマシン（遊技機）
１４２  演出用装置
１６０  演出ランプ
２０２ｃ  サブＲＡＭ
３３４  演出制御手段
３６４  通信コントローラ
３６８  ＤＭＡコントローラ
３７２  演出ドライバ
【図１】
2019080740.tif 000003
【図２】
2019080740.tif 000004
【図３】
2019080740.tif 000005
【図４】
2019080740.tif 000006
【図５】
2019080740.tif 000007
【図６】
2019080740.tif 000008
【図７】
2019080740.tif 000009
【図８】
2019080740.tif 000010
【図９】
2019080740.tif 000011
【図１０】
2019080740.tif 000012
【図１１】
2019080740.tif 000013
【図１２】
2019080740.tif 000014
【図１３】
2019080740.tif 000015
【図１４】
2019080740.tif 000016
【図１５】
2019080740.tif 000017
【図１６】
2019080740.tif 000018